(57)【要約】【課題】播種後の発芽が早く、特に点播すると発芽後の管理が容易で安定して植生できる芝草の植生方法の提供を目的とする。【解決手段】芝草類の種子を発芽直前まで温度処理した後に播種する。  その際に芝草類の種子と木質系廃棄物や食品廃棄物等の廃棄物を堆肥化させたリサイクル堆肥とを混合したものに必要な肥料等を混合し、点播すると生育管理がしやすく資源の再利用に役立つ。【選択図】  なし。【特許請求の範囲】
【請求項１】
芝草類の種子を発芽直前まで温度処理した後に播種することを特徴とする芝草類の植生方法。
【請求項２】
発芽直前まで温度処理した芝草類の種子と堆肥とを混合したものを点播又は散播することを特徴とする芝草類の植生方法。
【請求項３】
芝草類の種子がセンチピードグラス、ノシバ等の暖地型芝草であることを特徴とする請求項１又は請求項２記載の芝草類の植生方法。
【請求項４】
堆肥が木質廃棄物や食品廃棄物等の廃棄物を堆肥化させた、リサイクル堆肥であることを特徴とする請求項２記載の植生方法。
【請求項５】
堆肥に、肥料、保水剤、接合剤、生育促進剤の内からいずれか１つ以上を加えたものであることを特徴とする請求項２又は請求項４記載の植生方法。
【発明の詳細な説明】
【技術分野】
【０００１】
本発明は、点播又は散播後速やかに発芽し、その生育率が高く、又、発芽後の管理がしやすく安定した植生が得られる芝草類の植生方法に関する。
【背景技術】
【０００２】
畦畔の雑草対策や、道路、河川の法面の雑草対策、緑化方法としてあるいは、各種造成地の緑化対策として芝草の植生が実施されている。
【０００３】
芝草類の中でもセンチピードグラス、ノシバ等の本来的には暖地型の芝草においては、播種しても気温が約１５℃位で約１０日間以上しないと発芽しないために播種時期が限られていた。
また、播種から発芽までに相当の日数がかかるために、発芽のバラツキにより生育も悪く１平方メートル当たり、５〜１０ｇと比較的多くの種子を播かねばならず、また、種子が定着するように地面に溝を設けて播種したり、種子に養生剤を混合し吹付ける等の方法が採用されていた。
【０００４】
一般に播種する前に地表の雑草を取り除くが、芝草の種子が発芽するのに日数を要するために、中には雑草の方が早く生えてきて芝草が雑草に負けてしまってだめになる場合もあった。
【０００５】
そこで、発芽日数を短くする方法として、ノシバ種子においては、種子の皮を薬品等で除去する発芽促進方法が提案されている。
しかし、その方法でも発芽するには、播種して気温が約１５℃位で約７日間位必要であった。
【発明の開示】
【発明が解決しようとする課題】
【０００６】
本発明は、播種後の発芽が早く、特に点播すると発芽後の管理が容易で安定して植生できる芝草の植生方法の提供を目的とする。
【課題を解決するための手段】
【０００７】
本発明の技術的要旨は、芝草類の種子を発芽直前まで温度処理した点にある。
ここで温度処理とは、種子を約４０〜５０℃で２〜４日間、理想的には４５℃で３日間おき、休眠打破したことをいう（以下、発芽直前処理という）。
【０００８】
小さな種子を均一に播くのが大変なので堆肥と混合して散播するのがよい。
この場合、必要に応じて土を混合したり、散播する場所により植生を促すのに肥料を混合する場合もある。
また、堆肥として木クズ、樹皮等の木質系の廃材を堆肥化させて混合してもよく、食物の残渣物を堆肥化させて混合してもよく、これらのリサイクル性の堆肥物を利用すると資源の再利用にも役立つ。
これらの繊維質の多い堆肥材を用いて発芽直前処理した種子を攪拌混合し散播すると保水性が良く、生育不良も少なくなり植生が早い。
【０００９】
本発明における発芽直前処理により発芽が従来より早くなるが、それでも雑草の生育が早い土地においては、以下に説明する培地点播が確実な方法である（詳細は後述する）。
１ｍ２当り約４ヶ所程度になるように約５０ｃｍ間隔に点播すると、点播する種子混合堆肥に芝草の植生に必要な肥料、保水剤、接合剤、生育促進剤等を全て混合した、いわゆる培地点播することができる。
このように培地点播すると、無駄なく芝草の発芽生育を促進するだけでなく、周囲に雑草が生えてきた場合に、この点播部分に除草剤が掛からないように覆いをすることで除草管理ができる。
【００１０】
このような発芽直前処理及び点播の効果は、センチピードグラス、ノシバ等の暖地型芝草の品種に大きい。
暖地型芝草は、気温が高くならないと発芽しなかったり、発芽のバラツキがあったりするからである。
【発明の効果】
【００１１】
本発明においては、芝草類の種子を発芽直前の状態にまで温度処理したことにより、播種後の発芽を促進する。
特に点播にすると、従来の種子を播くのと異なり生育不良による失敗が極めて少なく、植生率が高く、センチピードグラスの例では従来、種子を５〜１０ｇ／ｍ２播く必要があったのに本発明にでは、０．５〜１ｇ／ｍ２播けば充分である。
【００１２】
点播にすると芝草より先に生えた周囲の雑草は点藩のみ覆いをすることで、除草剤による除草管理が出来るので確実に芝草が地面を覆うまでの管理がしやすい。
【００１３】
また、従来の種子を播く方法では、気温が１５℃近くまで高くなる季節を選ばなければならず、本州では５月以降が一般的であったが、発育性が高いのでその播種期間の幅が３〜９月と広くなり、かつ、従来芝草が生育し難いとされていた地域でも植生が可能になる。
【００１４】
発芽直前処理した種子を木質系や植物系の堆肥と混合したことにより、その繊維質により保水効果が高く、生育が良い。
また、発芽直前処理した種子の保存性が高く、日陰の通気性のある場所に保存すれば、１ヶ月位はそのまま保存が可能であり、すぐに散播する必要がない。
また、このようなリサイクル性の堆肥を利用することによる廃棄物の有効利用の途も開ける。
【００１５】
センチピードグラスを畦畔、法面に植生すると崩れ防止に効果があるだけでなく、この種の芝草は水に弱く、ほふく茎が水田の中に侵入してはびこることは無く、畦畔管理が容易になる。
また、芝丈が１０ｃｍ以下では殆ど出穂しないので、カメムシ等の害虫の繁殖を抑制する効果もある。
【発明を実施するための最良の形態】
【００１６】
本発明は多くの芝草種に適用できるが、センチピードグラスにて以下説明する。
センチピードグラス種子を４５℃に３日間おき、発芽直前処理した。
木質系を堆肥化させたものと、これに発芽直前処理したセンチピードグラスを均一に攪拌混合し、又散播する場所により植生を促すのに肥料を混合する場合もある。
これを畦畔に種子が０．５〜１ｇ／ｍ２程度になるように散播する。
なお、散播する前には既成の雑草を除草剤などで除草し、出来るだけ均平な裸地にするのが好ましい。
また、播くタイミングは雨後又は地面が湿った状態がよい。
センチピードグラスの場合に通常の場所では７〜１０ｃｍの草丈にしかならない。
なお、無肥料土の場合には、均一に被覆するまで多少の肥料が要る。
【００１７】
新たに切り開いた土地等、比較的雑草が生えにくい土地では、上記のように散播してもセンチピードグラスがほふく植生するが、元々雑草が生えている場所では次のような手順で培地点藩を実施するのがよい。
（１）実施する所の既成雑草を、根から枯らす除草剤を散布してできるだけ均平な裸地状態にする。
（２）約５０ｃｍピッチ（１ｍ２に約４ヶ所）にへこみを付ける。
なお、晴れた日が続き土が乾いている場合は培地点播する直前にへこみに水を撒くのがよい。
（３）本発明に係る発芽直前処理した種子を堆肥と混合したものを容器に入れ、水を少しずつ入れ、かき混ぜながらやわらないおはぎの様になるまで混ぜる。
（４）片方の手の平に長繊維不織布（種子用）を載せ、その上におたま等ですくって約１５０ｇ載せる。
時期、場所によって長繊維不織布を使わない方法もある（但し、時期や場所によって量を調整する）。
（５）載っている手を少し握って、へこみに軽く押えて置く。
（６）雑草が植生した時、培地点播した所を覆い、除草剤が掛からないようにして散布する。又は他の方法で取り除く。
（７）培地点播後被覆するまで１年〜１年半かかり、その間上記除草管理を数回必要とする場合がある。
場所によって肥料を施すことによって被覆を早める場合もある。